(57)【要約】【課題】上部支持部材から懸下するコードを確実に上部に退避できる遮蔽材を提供すること。【解決手段】遮蔽材１は、上部支持部材２に傾動可能に一端が取り付けられ、操作コード７を巻き付けるためのコードフック４１ａ及び４１ｂを有するポール４、及びヘッドボックス２とポール４とを係合させる保持部８を備える。コードフック４１ａ及び４１ｂに操作コード７を巻き付け、ポール４を上方に回動させて保持部８に保持することで、操作コード７を上部に退避することができる。【選択図】図１
2018109289.tif 000002
【特許請求の範囲】
【請求項１】
上部支持部材から懸下された遮蔽材を、前記上部支持部材から垂下された操作コードを引くことによって移動させる遮蔽装置において、
前記上部支持部材にジョイントを介して垂下されるポールと、
前記ポールに突出して備えられたコードフックと、
前記上部支持部材に前記ポールを係合する保持部とを備えることを特徴とする、遮蔽装置。
【請求項２】
前記ジョイントは、前記ポールを前記上部支持部材に係合される状態に回動可能とすることを特徴とする、請求項１に記載の遮蔽装置。
【請求項３】
前記ポールの前記上部支持部材と反対側の端部に、補助ジョイントを介して前記ポールに結合される補助ポールを備えることを特徴とする、請求項１又は２に記載の遮蔽装置。
【請求項４】
前記補助ジョイントは、前記ポールが前記上部支持部材に係合された状態において、前記補助ポールをその長手方向が鉛直方向である状態に回動可能とすることを特徴とする、請求項３に記載の遮蔽装置。
【請求項５】
前記上部支持部材からラダーコードを介して複数のスラットを吊下支持し、前記スラットを操作コードを引くことによって開閉させ、前記スラットの傾斜角を調整可能な横型ブラインドであって、
前記ポールをその軸方向に回転させることで前記傾斜角が調整されることを特徴とする、請求項１〜４のいずれか１項に記載の遮蔽装置。
【請求項６】
前記操作コードは、前記スラットを開閉させる複数の昇降コードと前記複数の昇降コードの下方にイコライザを介して延伸される補助コードとを含み、
前記コードフックは、前記昇降コードを巻き付け得る箇所に存在することを特徴とする、請求項５に記載の遮蔽装置。
【請求項７】
前記操作コードは、管状の前記ポールに挿通され、前記ポールの下方に引き出されることを特徴とする、請求項１〜５のいずれか１項に記載の遮蔽装置。
【発明の詳細な説明】
【技術分野】
【０００１】
本発明は、遮光、日よけ、目隠しなどのための遮蔽材に関する。
【背景技術】
【０００２】
遮光、日よけ、目隠しなどのために遮蔽材が窓に設けられる。遮蔽材は、複数のスラットを上下方向に綴りそれを傾斜することで採光を調整するとともに操作コードを引くことで上下方向に開閉する横型ブラインド、複数のスラットを左右に並べ操作コードを引くことで左右に開閉する縦型ブラインド、例えばカーテン地で仕立てられたシェードを操作コードを引くことで折り畳んで上下方向に開閉するローマンシェード、操作コードを引くことによりスクリーンを巻き取って上下方向に開閉するロールスクリーンやロールアップシェード、操作コードを引くことによりプリーツ状に加工されたスクリーンを昇降して上下方向に開閉するプリーツスクリーンなどがある。
【０００３】
これらの遮蔽材において、スラット、スクリーン等を操作するための操作コードが、特にスラット、スクリーン等を上部支持部材に向けて引き上げた後に引き出された操作コードが上部支持部材から長く垂下する。垂下したループ状となる操作コードに異物が引っかかるおそれがある。
【０００４】
この問題の対策として、特許文献１には、２本又は４本のコード（本明細書の「昇降コード」））のうちの１本が引張によって外れる安全ふさ（本明細書の「イコライザ」に相当）が開示されている。しかし、複数のコードがクロスした場合にはコードが外れない可能性があり、人体に引っかかるリスクは潜在している。
【先行技術文献】
【特許文献】
【０００５】
【特許文献１】特開平０８−１８９２７０号公報
【発明の概要】
【発明が解決しようとする課題】
【０００６】
本発明は、上部支持部材から懸下するコードを確実に上部に退避できる遮蔽材を提供することを課題とする。
【０００７】
ここで、上部支持部材から懸下するコードとしては、遮蔽材を昇降させる昇降コード、昇降コードを引くための補助コード、遮蔽材の開閉のための開閉コード、遮蔽材の角度を調整するためのチルト用コード、その他がある。上部支持部材から懸下するコードはいずれも異物が引っかかるリスクがあるので、コードの種類によって課題が変わるものではない。
【課題を解決するための手段】
【０００８】
本発明の遮蔽装置は、
上部支持部材から懸下された遮蔽材を、前記上部支持部材から垂下された操作コードを引くことによって移動させる遮蔽装置において、
前記上部支持部材にジョイントを介して垂下されるポールと、
前記ポールに突出して備えられたコードフックと、
前記上部支持部材に前記ポールを係合する保持部とを備えることを特徴とする。
【０００９】
この特徴によれば、上部支持部材に一端が取り付けられたポールに、それに設けられたコードフックを利用して操作コードを巻き付け、ポールの他端側を保持部に係止することで、操作コードを上部支持部材周辺に保持することができる。ここで「上部支持部材」とは、遮蔽材を懸下させる部材であり、横型ブラインドにおいては「ヘッドボックス」と呼ばれるものである。ロールスクリーンではパイプ等からスクリーンを懸下させる等ヘッドボックス以外のものの場合もある。
【００１０】
本発明の遮蔽装置は、
前記ジョイントは、前記ポールを前記上部支持部材に係合される状態に回動可能とすることを特徴とする。
【００１１】
この特徴によれば、ジョイントを軸としてポールを回動することで、ポールの他端側を保持部に保持することができる。
【００１２】
本発明の遮蔽装置は、
前記ポールの前記上部支持部材と反対側の端部に、補助ジョイントを介して前記ポールに結合される補助ポールを備えることを特徴とする。
【００１３】
この特徴によれば、ユーザは補助ポールを把持してポールを操作することができ、上部支持部材にユーザの手が届かない場合においてもポールを上部支持部材に係合させる操作を行うことが可能となる。
【００１４】
本発明の遮蔽装置は、
前記補助ジョイントは、前記ポールが前記上部支持部材に係合された状態において、前記補助ポールをその長手方向が鉛直方向である状態に回動可能とすることを特徴とする。
【００１５】
この特徴によれば、補助ポールが垂下し、上部支持部材にユーザの手が届かない場合においてもポールを上部支持部材から離脱させる操作を行うことが可能となる。
【００１６】
本発明の遮蔽装置は、
前記上部支持部材からラダーコードを介して複数のスラットを吊下支持し、前記スラットを操作コードを引くことによって開閉させ、前記スラットの傾斜角を調整可能な横型ブラインドであって、
前記ポールをその軸方向に回転させることで前記傾斜角が調整されることを特徴とする。
【００１７】
この特徴によれば、横型ブラインドにおいて、傾斜角調整に用いるポールを活用して、操作コードを上部支持部材周辺に保持することができる。
【００１８】
本発明の遮蔽装置は、
前記操作コードは、前記スラットを開閉させる複数の昇降コードと前記複数の昇降コードの下方にイコライザを介して延伸される補助コードとを含み、
前記コードフックは、前記昇降コードを巻き付け得る箇所に存在することを特徴とする。
【００１９】
この特徴によれば、複数のコードによってループ状となる昇降コードを、上部支持部材周辺に保持することが確実にできる。
【００２０】
本発明の遮蔽装置は、
前記操作コードは、管状の前記ポールに挿通され、前記ポールの下方に引き出されることを特徴とする。
【００２１】
この特徴によれば、操作コードをポールに挿通して上部支持部材周辺に保持しない場合の安全性を向上させるとともに、操作コードが下方に引き出された際には上部支持部材周辺に保持することができる。
【発明の効果】
【００２２】
本発明によれば、上部支持部材から懸下するコードを確実に上部に退避できる遮蔽材を提供する遮蔽材が提供される。
【図面の簡単な説明】
【００２３】
【図１】図１は、遮蔽材の構成を示す図である。（実施例１）
【図２】図２は、保持部の構成例を示す図である。（実施例１）
【図３】図３は、スラットを引き上げた状態を示す図である。（実施例１）
【図４】図４は、操作コードをポールに巻き付けた状態を示す図である。（実施例１）
【図５】図５は、ポールを上部支持部材に保持した状態を示す図である。（実施例１）
【図６】図６は、ポールを上部支持部材に保持した状態の変形例を示す図である。（実施例１）
【図７】図７は、遮蔽材の構成を示す図である。（実施例２）
【図８】図８は、スラットを引き上げた状態を示す図である。（実施例２）
【図９】図９は、操作コードをポールに巻き付けた状態を示す図である。（実施例２）
【図１０】図１０は、ポールを上部支持部材に保持した状態を示す図である。（実施例２）
【図１１】図１１は、ポールを上部支持部材に保持した状態の変形例を示す図である。（実施例２）
【図１２】図１２は、遮蔽材の構成を示す図である。（実施例３）
【図１３】図１３は、スラットを引き上げた状態を示す図である。（実施例３）
【図１４】図１４は、操作コードをポールに巻き付けた状態を示す図である。（実施例３）
【図１５】図１５は、ポールを上部支持部材に保持した状態を示す図である。（実施例３）
【図１６】図１６は、遮蔽材の構成を示す図である。（実施例３）
【図１７】図１７は、ポールを上部支持部材に保持した状態を示す図である。（実施例３）
【発明を実施するための形態】
【００２４】
以下、本発明の実施例について説明する。
【実施例１】
【００２５】
図１に、遮蔽材１の構成を示す。遮蔽材１は、補助コード７を操作することによって上下方向に綴られた複数のスラット９を上下方向に移動する横型ブラインドであり、上部支持部材であるヘッドボックス２、ジョイント３、ポール４、補助ジョイント５、補助ポール６、補助コード７、昇降コード７ａ、７ｂ、保持部８、複数のスラット９及びボトムレール１０を備える。ここで、補助コード７及び昇降コード７ａ、７ｂの全体が操作コードである。
【００２６】
ヘッドボックス２は、遮蔽材１の構成各部を支持する筐体（上部支持部材）であり、取り付けブラケット（不図示）を介して窓枠等に取り付けられる。ヘッドボックス２は、その内部に、複数のラダーコード１１（破線で示す）を支持して回転するチルトドラム１１ａ、チルトドラム１１ａを回転するチルトシャフト１１ｂ及びジョイント３の回転をチルトシャフト１１ｂの回転に変換するチルトギアボックス１１ｃを有する。
【００２７】
ジョイント３は、ヘッドボックス２にポール４を係合させ、垂下するための部材である。ジョイント３はポール４のその軸に対する回転によって回転する。その回転は、チルトギアボックス１１ｃ及びチルトシャフト１１ｂを介してチルトドラム１１ａを回転させる。
【００２８】
ジョイント３は、後述するように、ポール４を、そのジョイント３と反対側の端部がヘッドボックス２に係合される状態になるまで、ヘッドボックス２に対して回動可能に支持する。これにより、ポール４を保持部８によってヘッドボックス２に保持することができる。
【００２９】
ポール４は、複数のスラット９の傾斜を調整するための棒状部材である。ポール４は、一端がヘッドボックス２に固定されたジョイント３に、ヘッドボックス２に対して傾動可能且つポール４の軸に対して回転可能に取り付けられている。ポール４をその軸に対して回転することで、ジョイント３が回転し、チルトギアボックス１１ｃを介してチルトシャフト１１ｂの回転に変換され、それに連結するチルトドラム１１ａが回転して、複数のスラット９の傾斜を調整することができる。
【００３０】
ポール４は、２のコードフック４１ａ及び４１ｂを有する。コードフック４１ａ及び４１ｂは、補助コード７及び昇降コード７ａ、７ｂ、を巻き付けるための部材であり、ポール４の胴部に、２つのフックが互いに離間して固定されている。
【００３１】
補助ジョイント５は、補助ポール６をポール４に傾動可能に連結するための部材であり、ポール４の先端に設けられている。
【００３２】
補助ジョイント５は、後述するように、補助ポール６を、ポール４がヘッドボックス２に係合された状態において、補助ポール６をその長手方向が鉛直方向である状態（ヘッドボックス２から垂下する状態）に回動可能に、すなわちポール４に対して少なくとも略９０度回動可能に支持する。
【００３３】
補助ポール６は、ポール４を延長するための棒状部材である。補助ポール６を利用してポール４をヘッドボックス２に設けられた保持部８に係止させるように移動することができ、また保持部８に保持されたポール４の他端から垂下する補助ポール６を利用してポール４をヘッドボックス２から離脱させることができる。
【００３４】
昇降コード７ａ、７ｂ、は、ボトムレール１０を上方に引き上げる、又は下方に降ろすためのコードである。昇降コード７ａ、７ｂの一端がボトムレール１０に固定され、他端はストッパー７ｅを介して延伸されている。補助コード７を引くことで昇降コード７ａ、７ｂを他端側に引いてボトムレール１０を上方に引き上げることもでき、ストッパー７ｅによって係止して上方で静止させることができ、また、ストッパー７ｅによる係止を緩めてボトムレール１０の自重により操作コード７を一端側に引いて下方に降ろすこともできる。
【００３５】
ボトムレール１０（スラット９）の長さに依存して、ボトムレール１０の全体を保持するために複数（本実施例では２）の昇降コード７ａ、７ｂが設けられている。複数の昇降コード７ａ、７ｂを同長だけ移動させるために複数の昇降コード７ａ、７ｂはイコライザ７ｃに結合され、イコライザ７ｃよりも図面下方では１本の補助コード７である。イコライザ７ｃよりも図面下方の補助コード７又はイコライザ７ｃを引くことで、ボトムレール１０を上方に引き上げることができる。
【００３６】
補助コード７の他端は、ボトムレール１０の端部に固定点７２ａにおいて固定されている。
【００３７】
保持部８は、ポール４をヘッドボックス２に保持するための機構である。保持部８の位置は、ヘッドボックス２に取り付けられたポール４の一端、すなわちジョイント３から、ポール４の長さより短い距離離間した位置である。それにより、ジョイント３を基点にポール４を横向き（図面左上方向）に回動して保持部８に保持させることができる。
【００３８】
図２に、保持部８の構成の幾つかの例を示す。図２（Ａ）〜（Ｅ）はいずれも、図１におけるＳ−Ｓ線の断面を示すものである。なお、保持部８は、ポール４をヘッドボックス２に保持することができればいかなるものであってもよく、図２に示したものに限定されない。
【００３９】
図２（Ａ）に示す保持部８は、ヘッドボックス２に、棒状の部材の一端を湾曲してＪ形状に成形された保持具８ａが固定されている。保持具８ａは、湾曲した一端を正面に向けて、背面にてヘッドボックス２の前面に固定される。なお、固定は、ネジ止め、接着、嵌合、その他の方法によることができる。ポール４を保持具８ａの一端の上に載せることで、ポール４がヘッドボックス２に保持される。
【００４０】
図２（Ｂ）に示す保持部８は、ヘッドボックス２に、棒状の部材の一端に円形の把持部を有する保持具８ａが固定されている。保持具８ｂは、把持部を下方に向けて、基端にてヘッドボックス２の前面に固定される。なお、固定は、ネジ止め、接着、嵌合、その他の方法によることができる。ポール４を保持具８ｂの把持部に嵌め入れることで、ポール４がヘッドボックス２に保持される。
【００４１】
図２（Ｃ）に示す保持部８は、ポール４に、先端が湾曲してＪ形状に成形された保持具８ｃが固定されている。保持具８ｃの先端をヘッドボックス２の上部に係止することで、ポール４がヘッドボックス２に保持される。このように、保持具をヘッドボックス２でなくポール４に固定することによっても保持部８が構成され得る。
【００４２】
図２（Ｄ）に示す保持部８は、ポール４に、磁石である保持具８ｄが固定されている。保持具８ｄをヘッドボックス２の前面に磁着することで、ポール４がヘッドボックス２に保持される。ただし、ヘッドボックス２は金属を用いて形成されているものとし、そうでない場合には、ヘッドボックス２の前面に金属板を固定し、これに保持部８ｄを磁着するとする。また、ポール４はその軸方向に回転し得るので、ポール４を周回するように保持具８ｄを設け、回転に依存せずに磁着できるようにしてもよい。
【００４３】
図２（Ｅ）に示す保持部８は、ヘッドボックス２及びポール４に、面ファスナである保持具８ｅ１及び８ｅ２が固定されている。保持具８ｅ１及び８ｅ２を相互に圧着することで、ポール４がヘッドボックス２に保持される。
【００４４】
複数のスラット９は、光を遮る遮光部材である。各スラット９は、金属、プラスチック等から成形された一軸方向を長手とする略矩形状の板体であり、側面視において中央が凸状に湾曲され、両端近傍に幅方向に離間する各３つの孔部（不図示）が形成されている。複数のスラット９は、複数のラダーコード１１により傾斜角調整可能にヘッドボックス２から懸下する。
【００４５】
複数のラダーコード１１は、複数のスラット９を支持する部材であり、それぞれが２つの縦コードの間に複数の横コードが張られてラダー状（はしご形状）に組まれたコードである。ラダーコードの横コードの上に配されたスラットが、縦コードの上下によって傾斜を変化させる。
【００４６】
２つのラダーコードの下端はボトムレール１０に固定され、上端はヘッドボックス２内のチルトドラム１１ａに取り付けられる。それにより、複数のスラット９がヘッドボックス２から懸下する。ポール４を用いてチルトドラム１１ａを回動することで、２つのラダーコードのそれぞれの縦コードの一方が上方に引かれ、他方が下方に降ろされることで２つのラダーコードに支持された複数のスラット９の傾斜を調整することができる。
【００４７】
ボトムレール１０は、昇降コード７ａ、７ｂにより、複数のスラット９の下段に支持される。ボトムレール１０とヘッドボックス２との間で、複数のスラット９がラダーコード１１によって支持される。すなわち、ボトムレール１０を上方に引き上げることで、複数のスラット９も上方に引き上げられる。
【００４８】
以上、遮蔽材１の構成について説明した。ここで、図１において破線で示した複数の昇降コード７ａ、７ｂのヘッドボックス内部の部分、ラダーコード１１、チルトドラム１１ａ、チルトシャフト１１ｂ及びチルトギアボックス１１ｃについては、本発明の要部と無関係の構成であり、以下、特に必要な場合を除き省略する。
【００４９】
遮蔽材１において、補助コード７及び昇降コード７ａ、７ｂを上方へ退避する方法を説明する。
【００５０】
まず、図１に示すように複数のスラット９が降りている状態において、操作コード７を引くことにより、図３に示すようにボトムレール１０及び複数のスラット９を上方に引き上げる。この結果、補助コード７及び昇降コード７ａ、７ｂがループ状に垂下する。
【００５１】
次に、図４に示すように、補助コード７及び昇降コード７ａ、７ｂをポール４のコードフック４１ａ及び４１ｂに巻き付ける。補助コード７及び昇降コード７ａ、７ｂが垂下した状態ではなくなる。
【００５２】
ここで、２のコードフック４１ａ及び４１ｂを用い、その間の距離を利用して補助コード７及び昇降コード７ａ、７ｂを巻き付けるものとしたが、コードフックの数は２に限られない。補助コード７及び昇降コード７ａ、７ｂが短ければ１のみのコードフックに巻きつけることも可能である。また、補助コード７及び昇降コード７ａ、７ｂの長さに対応して選択できるように３以上のコードフックを設けてもよい。
【００５３】
なお、図３にはボトムレール１０及び複数のスラット９を最上方に引き上げた状態を示したが、最上方と最下方の中間まで引き上げた状態においても補助コード７及び昇降コード７ａ、７ｂをポール４のコードフック４１ａ及び４１ｂに巻き付けることができる。
【００５４】
固定点７２ａと、上方の固定点７１ａ（ストッパー７ｅの箇所）との間の補助コード７及び昇降コード７ａ、７ｂが、コードフック４１ａ及び４１ｂに巻き付けられる。
【００５５】
最後に、図５に示すように、ポール４を保持部８に係止する。それにより、複数のスラット９を引き上げた状態（遮蔽材１を上げた状態）に固定するとともに、補助コード７及び昇降コード７ａ、７ｂを上方に退避することができる。
【００５６】
ヘッドボックス２に設けられた保持部８にポール４を係止することは、ヘッドボックスが上方に設置され保持部８にユーザの手が届かない場合には、容易でない。かかる場合に、ユーザは、下方の補助ポール６を把持してポール４を着脱することができる。
【００５７】
また、保持部８にユーザの手が届く場合には、補助ポール６及び補助ジョイント５は、必ずしも必要ではない。
【００５８】
図４に示す状態から、ポール４を保持部８に係止するように図５に示す状態に遷移すると、コードフック４１ａ及び４１ｂが移動する。これに伴い、コードも移動する。ここで、保持部８にポール４を係止した状態において、補助コード７の下端７２Ｌの床面からの高さが対象とする子供の手が届かない高さ（例えば３歳児であれば１１５０ｍｍ以上）であるように設計することが好ましい。
【００５９】
ポール４を保持部８から離脱させて再度操作する場合、補助ポール６を利用してポール４を保持部８から離脱させることができる。
【００６０】
以上詳細に説明したように、本実施例の遮蔽材１は、ヘッドボックス２に傾動可能に一端が取り付けられ、操作コード（補助コード７及び昇降コード７ａ、７ｂ）巻き付けるためのコードフック４１ａ及び４１ｂを有するポール４、及びヘッドボックス２とポール４とを係合させる保持部８を備える。コードフック４１ａ及び４１ｂに操作コード７を巻き付け、ポール４を上方に回動させて保持部８に保持することで、補助コード７及び昇降コード７ａ、７ｂを上部に退避することができる。
【００６１】
図６に、ポールを上部支持部材に保持した状態の変形例を示す。補助ポール６及び補助ジョイント５を用いずに、ポール４にユーザの手が届くようにするものである。
【００６２】
保持部８は、図６（Ｂ）に示すように、図２（Ａ）に示した保持部８において、保持具８ａが下方に延伸されたものである。ポール４を保持具８ａの一端の上に載せることでポール４がヘッドボックス２に保持されるが、図６（Ａ）に示すように下傾して保持される。ポール４の下端を、補助ポール６及び補助ジョイント５を用いずに、ユーザの手が届く位置とすることができる。
【００６３】
また、解除ジョイント７ｄ（図１参照）を追加してもよい。補助コード７の下端周辺に解除ジョイント７ｄを有する。
【００６４】
解除ジョイント７ｄは、その両側から補助コード７が引かれた時に分離するジョイントである。補助コード７が引っかかってしまった場合に安全を図ったものである。
【００６５】
補助コード７のループの安全面は解除ジョイント７ｄの分離によって担保しつつ、ポール４をヘッドボックス２に保持することで、イコライザ７ｃの上部の昇降コード７ａ及び７ｂのループの安全面も担保する。
【実施例２】
【００６６】
本実施例は、ポール４に昇降コード７ａ、７ｂを挿通したものである。他の点は実施例１と同様であり、詳細な説明を省略する。
【００６７】
図７に、遮蔽材１の構成を示す。昇降コード７ａ及び７ｂは、ジョイント３、ポール４、補助ジョイント５及び補助ポール６を貫通している。補助ポールの下側にイコライザ７ｃが存在する。補助コード７は存在しない。他は実施例１と同様に構成される。
【００６８】
本実施例において、昇降コード７ａ及び７ｂを退避する方法を説明する。
【００６９】
まず、図７に示すように複数のスラット９が降りている状態において、イコライザ７ｃを下方に引くことにより、図８に示すようにボトムレール１０及び複数のスラット９を上方に引き上げる。
【００７０】
次に、引き出された昇降コード７ａ及び７ｂをポール４のコードフック４１ａ及び４１ｂに図９に示すように巻き付ける。
【００７１】
最後に、図１０に示すように、ポール４を保持部８に係止する。
【００７２】
以上詳細に説明したように、本実施例の遮蔽材１は、ポール４に昇降コード７ａ及び７ｂを挿通したことにより、ブラインド（ボトムレール１０）が下がった状態ではイコライザ７ｃの上方のループを隠すことにより安全面を担保する。ブラインドが上がった時には、補助ポール６の下方に引き出された昇降コード７ａ及び７ｂをコードフック４１ａ及び４１ｂに巻き付けることにより、ブラインドが上がった状態でも安全面を担保するとともに、万一手が届いてコードフック４１ａ及び４１ｂに巻き付けた昇降コード７ａ及び７ｂがほどかれてしまうリスクに対してポール４を上方のヘッドボックス２の係止部８に係止して安全面を高めている。
【００７３】
図１１に、ポールを上部支持部材に保持した状態の変形例を示す。昇降コード７ａ及び７ｂを補助ポール６の先端でなく補助ジョイント５から露出させたものである。ポールを上部支持部材に保持した状態以外の状態（図８、図９）においても、昇降コード７ａ及び７ｂは補助ジョイント５から露出する。この場合にも、上述と同様に安全面を高めることができる。
【実施例３】
【００７４】
本実施例は、遮蔽材がプリーツスクリーンであるものである。他の点は実施例１と同様であり、詳細な説明を省略する。
【００７５】
図１２に、遮蔽材１の構成を示す。遮蔽材１は、プリーツスクリーンであり、実施例１におけるスラット９に替えてスクリーン９ａが設けられている。スラット９の回転に相当する操作がなく、遮蔽の有無はスクリーン９ａの上昇及び下降によって制御される。他は実施例１と同様に構成される。ここで、ポール４は、その軸に対して回転する必要がない。
【００７６】
図１３〜図１５に補助コード７及び昇降コード７ａ、７ｂを退避する手順を示すが、実施例１と同一である。すなわち、プリーツスクリーンであっても横型ブラインドと同一の構成が可能である。
【００７７】
ここで、ポール４がその軸に対して回転しないので、コードフック４１ａ及び４１ｂの突出方向は固定されている。ヘッドボックス２と干渉しないように固定方向を設計することができる。
【００７８】
以上詳細に説明したように、本実施例の遮蔽材（プリーツスクリーン）２１は、ポール４を備えることにより、操作コード７を上部に退避することが可能となる。
【００７９】
なお、遮蔽材１は、プリーツスクリーンでなく、ロールスクリーン、ローマンシェード、縦型ブラインド、ギア式ブラインド等であってもよい。操作コード７を上部に退避する追加した部材として設けることとなる。
【００８０】
図１６に、遮蔽材１がギア式ブラインドである場合の遮蔽材の構成を示す。操作コード７がループ状に垂下している。
【００８１】
ここで、ポール４を用いることにより、図１７に示すように操作コード７を上部に退避することが可能となる。退避させる手順は同様である。
【産業上の利用可能性】
【００８２】
上部支持部材から上部支持部材から懸下するコードを確実に上部に退避できる遮蔽材である。安全であり、多くの遮蔽材生産業者及び遮蔽材ユーザによる利用が考えられる。
【符号の説明】
【００８３】
１      遮蔽材
２      ヘッドボックス
３      ジョイント
４      ポール
４１ａ  コードフック
４１ｂ  コードフック
５      補助ジョイント
６      補助ポール
７      補助コード（操作コード）
７ａ    昇降コード（操作コード）
７ｂ    昇降コード（操作コード）
７ｃ    イコライザ
７１ａ  固定点
７２    操作コード
７２ａ  固定点
７２Ｌ  下端
８      保持部
８ａ    保持具
８ｂ    保持具
８ｃ    保持具
８ｄ    保持具
８ｅ１  保持具
８ｅ２  保持具
９      スラット
９ａ    スクリーン
１０    ボトムレール
【図１】
2018109289.tif 000003
【図２】
2018109289.tif 000004
【図３】
2018109289.tif 000005
【図４】
2018109289.tif 000006
【図５】
2018109289.tif 000007
【図６】
2018109289.tif 000008
【図７】
2018109289.tif 000009
【図８】
2018109289.tif 000010
【図９】
2018109289.tif 000011
【図１０】
2018109289.tif 000012
【図１１】
2018109289.tif 000013
【図１２】
2018109289.tif 000014
【図１３】
2018109289.tif 000015
【図１４】
2018109289.tif 000016
【図１５】
2018109289.tif 000017
【図１６】
2018109289.tif 000018
【図１７】
2018109289.tif 000019